(57)【要約】【課題】精算に起因した不具合を抑制できる販売機、販売機を含む販売システム、販売機における精算方法、および、販売機において実行される精算プログラムを提供する。【解決手段】販売機の一例である券売機２では、制御部２５が、表示操作部４においてメニューの情報を受け付ける。制御部２５は、情報を受け付けたメニューの代金を事前精算する事前精算モードと、提供済みのメニューの代金を事後精算する事後精算モードとのいずれかに代金の精算モードを切換可能である。【選択図】図３
2019152897.tif 000002
【特許請求の範囲】
【請求項１】
販売対象の情報を受け付ける受付部と、
前記受付部が情報を受け付けた販売対象の代金を事前精算する事前精算モードと、提供済みの販売対象の代金を事後精算する事後精算モードとのいずれかに代金の精算モードを切換可能な精算部とを含む、販売機。
【請求項２】
前記精算モードの切換指示を含む指示情報を取得する取得部と、
前記取得部が取得した前記指示情報に基いて前記精算モードを切り換える切換部とを含む、請求項１に記載の販売機。
【請求項３】
前記指示情報は、事後精算する代金の情報を含む、請求項２に記載の販売機。
【請求項４】
前記事前精算モードでは事前精算の販売対象の提供に必要な第１データを出力したり、前記事後精算モードでは事後精算完了の証明に必要な第２データを出力したりする出力部を含む、請求項２または３に記載の販売機。
【請求項５】
前記事前精算モードでの事前精算に関する事前精算情報と、前記事後精算モードでの事後精算に関する事後精算情報とを分けて記憶する第１記憶部を含む、請求項２〜４のいずれか一項に記載の販売機。
【請求項６】
前記指示情報を記憶する第２記憶部を含み、
前記取得部は、前記第２記憶部から前記指示情報を取得する、請求項２〜５のいずれか一項に記載の販売機。
【請求項７】
前記指示情報は、客を特定するための特定情報を含み、
前記取得部が前記特定情報を取得した場合に、前記切換部は、前記精算モードを前記事後精算モードに切り換える、請求項２〜６のいずれか一項に記載の販売機。
【請求項８】
販売対象の提供を順番待ちする客による所定の入力に応じて、当該客向けの情報を報知する報知部を含む、請求項２〜７のいずれか一項に記載の販売機。
【請求項９】
前記取得部は、前記指示情報に関するコードを認識可能なコードリーダーを含む、請求項２〜８のいずれか一項に記載の販売機。
【請求項１０】
前記精算モードの選択のために操作される操作部を含み、
前記取得部は、前記操作部の操作に応じて前記指示情報を取得する、請求項２〜９のいずれか一項に記載の販売機。
【請求項１１】
外部装置と通信するための通信部を含み、
前記取得部は、前記通信部を介して外部装置から送信される前記指示情報を取得する、請求項２〜１０のいずれか一項に記載の販売機。
【請求項１２】
販売対象の情報を受け付ける受付部、および、前記受付部が情報を受け付けた販売対象の代金を事前精算する事前精算モードと、提供済みの販売対象の代金を事後精算する事後精算モードとのいずれかに代金の精算モードを切換可能な精算部を含む販売機と、
前記精算モードを切り換える切換部とを含む、販売システム。
【請求項１３】
販売対象の情報を受け付ける受付部と、販売対象の代金の精算モードを切換可能な精算部とを含む販売機において、
前記受付部が情報を受け付けた販売対象の代金を事前精算する事前精算モードと、提供済みの販売対象の代金を事後精算する事後精算モードとのいずれかに前記精算モードを切り換える切換ステップと、
前記切換ステップによって切り換えられた前記精算モードに応じて販売対象の代金を前記精算部によって精算する精算ステップとを含む、販売機における精算方法。
【請求項１４】
販売対象の情報を受け付ける受付部と、販売対象の代金の精算モードを切換可能な精算部とを含む販売機において実行される精算プログラムであって、
前記受付部が情報を受け付けた販売対象の代金を事前精算する事前精算モードと、提供済みの販売対象の代金を事後精算する事後精算モードとのいずれかに前記精算モードを切り換える切換手順と、
前記切換手順によって切り換えられた前記精算モードに応じて販売対象の代金を前記精算部によって精算する精算手順とをコンピュータに実行させる、販売機における精算プログラム。
【発明の詳細な説明】
【技術分野】
【０００１】
この発明は、販売機、販売機を含む販売システム、販売機における精算方法、および、販売機において実行される精算プログラムに関する。
【背景技術】
【０００２】
下記特許文献１の自動券売機では、客がタッチパネルに表示されたメニューをアイテムボタンによって選択して必要金額の金銭を投入することによって、食券が発行される。
【先行技術文献】
【特許文献】
【０００３】
【特許文献１】特許第５３３７９８１号公報
【発明の概要】
【発明が解決しようとする課題】
【０００４】
飲食店では、その営業方針によって、時間帯に応じて営業形態が異なる場合がある。例えば、昼間のランチ営業では、客単価の低い料理を多くの客に提供する一方で、夜間のディナー営業では、客単価の高い料理を提供することによって、客足が昼間より少なくても多くの利益が見込める。自動券売機は、ランチ営業中において料理の提供等に忙しい店員に代わって事前精算を行うことにより、飲食店における回転率の向上に貢献する。
【０００５】
一方、ディナー営業中では、客が食後に代金を支払う事後精算が一般的である。事後精算のために客と現金の受け渡しをする店員にとっては、料理の提供に専念したいのに事後精算に対応しなければならないので煩わしいし、現金を触らなければならないので衛生面や安全面から見て好ましくない。
この発明は、かかる背景のもとにおいてなされたものであり、精算に起因した不具合を抑制できる販売機、販売機を含む販売システム、販売機における精算方法、および、販売機において実行される精算プログラムを提供することを目的とする。
【課題を解決するための手段】
【０００６】
本発明は、販売対象の情報を受け付ける受付部と、前記受付部が情報を受け付けた販売対象の代金を事前精算する事前精算モードと、提供済みの販売対象の代金を事後精算する事後精算モードとのいずれかに代金の精算モードを切換可能な精算部とを含む、販売機である。
また、本発明は、前記販売機が、前記精算モードの切換指示を含む指示情報を取得する取得部と、前記取得部が取得した前記指示情報に基いて前記精算モードを切り換える切換部とを含むことを特徴とする。
【０００７】
また、本発明は、前記指示情報が、事後精算する代金の情報を含むことを特徴とする。
また、本発明は、前記販売機が、前記事前精算モードでは事前精算の販売対象の提供に必要な第１データを出力したり、前記事後精算モードでは事後精算完了の証明に必要な第２データを出力したりする出力部を含むことを特徴とする。
また、本発明は、前記販売機が、前記事前精算モードでの事前精算に関する事前精算情報と、前記事後精算モードでの事後精算に関する事後精算情報とを分けて記憶する第１記憶部を含むことを特徴とする。
【０００８】
また、本発明は、前記販売機が、前記指示情報を記憶する第２記憶部を含み、前記取得部が、前記第２記憶部から前記指示情報を取得することを特徴とする。
また、本発明は、前記指示情報が、客を特定するための特定情報を含み、前記取得部が前記特定情報を取得した場合に、前記切換部が、前記精算モードを前記事後精算モードに切り換えることを特徴とする。
【０００９】
また、本発明は、前記販売機が、販売対象の提供を順番待ちする客による所定の入力に応じて、当該客向けの情報を報知する報知部を含むことを特徴とする。
また、本発明は、前記取得部が、前記指示情報に関するコードを認識可能なコードリーダーを含むことを特徴とする。
また、本発明は、前記販売機が、前記精算モードの選択のために操作される操作部を含み、前記取得部が、前記操作部の操作に応じて前記指示情報を取得することを特徴とする。
【００１０】
また、本発明は、前記販売機が、外部装置と通信するための通信部を含み、前記取得部が、前記通信部を介して外部装置から送信される前記指示情報を取得することを特徴とする。
また、本発明は、販売対象の情報を受け付ける受付部、および、前記受付部が情報を受け付けた販売対象の代金を事前精算する事前精算モードと、提供済みの販売対象の代金を事後精算する事後精算モードとのいずれかに代金の精算モードを切換可能な精算部を含む販売機と、前記精算モードを切り換える切換部とを含む、販売システムである。
【００１１】
また、本発明は、販売対象の情報を受け付ける受付部と、販売対象の代金の精算モードを切換可能な精算部とを含む販売機において、前記受付部が情報を受け付けた販売対象の代金を事前精算する事前精算モードと、提供済みの販売対象の代金を事後精算する事後精算モードとのいずれかに前記精算モードを切り換える切換ステップと、前記切換ステップによって切り換えられた前記精算モードに応じて販売対象の代金を前記精算部によって精算する精算ステップとを含む、販売機における精算方法である。
【００１２】
また、本発明は、販売対象の情報を受け付ける受付部と、販売対象の代金の精算モードを切換可能な精算部とを含む販売機において実行される精算プログラムであって、前記受付部が情報を受け付けた販売対象の代金を事前精算する事前精算モードと、提供済みの販売対象の代金を事後精算する事後精算モードとのいずれかに前記精算モードを切り換える切換手順と、前記切換手順によって切り換えられた前記精算モードに応じて販売対象の代金を前記精算部によって精算する精算手順とをコンピュータに実行させる、販売機における精算プログラムである。
【発明の効果】
【００１３】
本発明によれば、精算に起因した不具合を抑制できる。
【図面の簡単な説明】
【００１４】
【図１】図１は、本発明の一実施形態に係る販売システムの模式図である。
【図２】図２は、販売システムの券売機から発行された食券の模式図である。
【図３】図３は、販売システムの電気的構成を示すブロック図である。
【図４】図４は、販売システムの注文端末から発行された精算伝票の模式図である。
【図５】図５は、会員カードの模式図である。
【図６】図６は、販売システムの管理サーバーに記憶された事前精算テーブルの一例を示す図である。
【図７】図７は、管理サーバーに記憶された事後精算テーブルの一例を示す図である。
【図８】図８は、管理サーバーに記憶された会員テーブルの一例を示す図である。
【図９】図９は、券売機の表示操作部における表示内容の一例を示す模式図である。
【図１０】図１０は、表示操作部における表示内容の一例を示す模式図である。
【図１１】図１１は、表示操作部における表示内容の一例を示す模式図である。
【図１２】図１２は、券売機に記憶された事後精算テーブルの一例を示す図である。
【図１３】図１３は、表示操作部における表示内容の一例を示す模式図である。
【図１４】図１４は、表示操作部における表示内容の一例を示す模式図である。
【図１５】図１５は、表示操作部における表示内容の一例を示す模式図である。
【図１６】図１６は、表示操作部における表示内容の一例を示す模式図である。
【図１７】図１７は、表示操作部における表示内容の一例を示す模式図である。
【図１８】図１８は、券売機から発行された整理券の模式図である。
【発明を実施するための形態】
【００１５】
以下には、図面を参照して、この発明の実施形態について具体的に説明する。図１は、本発明の一実施形態に係る販売システム１の模式図である。販売システム１は、販売店、この実施形態では一例として飲食店に適用される。この実施形態の飲食店では、昼間のランチ営業と、例えば居酒屋としての夜間のディナー営業とが行われる。販売システム１は、販売機の一例としての券売機２を含む。なお、本発明は、券売機２以外の販売機にも適用できる。
【００１６】
券売機２は、飲食店の入口付近に設置されている。券売機２は、例えば縦長のボックス形状を有し、その正面における上側領域には、受付部、取得部および報知部の一例としての表示操作部４が設けられている。表示操作部４は、例えば券売機２の幅方向（図１の左右方向）に長手の矩形状に形成された液晶のタッチパネルである。表示操作部４は、カラー画面であってもよいし、モノクロ画面であってもよい。表示操作部４は、様々な情報が表示される表示部としての機能と、メニューの選択等のために客等の利用者によって操作される操作部として機能とを有する。表示部と操作部とは、表示操作部４にまとめられるのでなく、別々に存在してもよい。
【００１７】
券売機２の正面において表示操作部４よりも下側の領域には、検知部５と、硬貨投入口６と、紙幣投入口７と、取消ボタン８と、呼出ボタン９と、取出口１０と、紙幣出金口１１と、返却口１２と、読取部１３とが、アクセスしやすいレイアウトにて配置されている。
ランチ営業中に券売機２において食券を購入したい客は、まず、券売機２に正面側（図１の紙面の手前側）からアクセスする。すると、検知部５が、ＯＮになることにより、この客の接近を検知するので、検知部５による検知に応じて、例えば今まで休止モードにあった券売機２が起動して待機モードになり、表示操作部４には、販売画面（後述する図９等における販売画面５０を参照）が表示される。販売画面には、飲食店で取り扱われる複数のメニューの情報が表示される。販売画面を見た客は、表示操作部４にタッチして所望のメニューを選択し、そのメニューの代金としての現金を硬貨投入口６および紙幣投入口７の少なくともいずれかに投入して、そのメニューについて決済する。
【００１８】
客は、取消ボタン８を押せば、今までの操作を取り消して、メニューの選択を最初からやり直すことができる。また、客は、呼出ボタン９を押すことによって、券売機２を管理する係員（ここでは飲食店の店員）を呼び出すことができる。決済の後に、客によって選択されたメニューの名称等が印字された食券が、取出口１０に発行される。これにより、メニューを選択した客と券売機２との間における取引が成立する。なお、釣銭が存在する場合、釣銭のうち、紙幣は、紙幣出金口１１から客に返却され、硬貨は、返却口１２から客に返却される。読取部１３は、取得部の一例であり、後述する一次元コードおよび二次元コード等のコード（この実施形態では二次元コード）を非接触にて認識可能なコードリーダーである。
【００１９】
客は、取出口１０から取り出した食券を持って飲食店内の受取カウンタ（図示せず）に向かい、受取カウンタにおいて、食券と引き換えに、選択したメニューの料理を受け取る。客は、受け取った料理を、飲食店内の飲食エリアに設置されたテーブル１５に置いて、このテーブル１５の周辺の椅子１６に座って飲食する。または、食券を持った客がいずれかの椅子１６に座ると、店員がやってきて客から食券を受け取り、この食券に対応する料理を客のテーブル１５まで持って行ってもよい。この実施形態では、客が表示操作部４を操作して選択したメニュー（厳密には当該メニューの料理）が、販売対象である。料理と引き換えられる食券も販売対象とみなせる。
【００２０】
券売機２から発行される食券２０について説明する。図２は、食券２０の模式図である。食券２０は、例えば四角形状の紙製のチケットである。食券２０の表面には、一例として、メニュー名Ｎと、値段Ｐと、食券２０の発行日Ｄと、食券２０の発行時刻Ｔと、食券２０を発行した飲食店の店名Ｓとが印字されている。これらの情報を事前精算情報という。決済つまり事前精算が完了して食券２０が発行される度に、客と飲食店との間では１回の取引が成立したことになり、それぞれの取引には取引番号Ｑという識別情報が割り当てられる。事前精算が完了した時刻が、発行時刻Ｔである。食券２０の表面には、取引番号Ｑも印字されている。なお、食券２０は、料理の受け渡し等の際に店員によって回収される店控えと、料理の受け渡し後も客によって保有される客控えとに分離可能であってもよい。
【００２１】
図３は、販売システム１の電気的構成を示すブロック図である。販売システム１は、単数または複数（ここでは単数）の券売機２の他に、撮影装置２１と、外部装置の一例としての管理サーバー２２および注文端末２３とをさらに含む。
券売機２は、制御部２５と、制御部２５に対して電気的に接続された記憶部２６、有価媒体処理部２７、発行部２８および通信部２９とをさらに含む。制御部２５は、受付部、精算部、取得部、切換部、出力部および報知部の一例であり、ＣＰＵやＲＯＭ等を含んだマイクロコンピュータ等によって構成されている。前述した表示操作部４、検知部５、取消ボタン８、呼出ボタン９および読取部１３は、制御部２５に対して電気的に接続されている。制御部２５は、表示操作部４における表示を制御したり、客や係員による表示操作部４の操作や、客による取消ボタン８および呼出ボタン９の操作を受け付けたりする。検知部５による検知結果は、制御部２５に入力される。読取部１３が読み取った情報は、制御部２５に入力される。
【００２２】
記憶部２６は、第１記憶部および第２記憶部の一例であり、飲食店にて取り扱われるメニュー等の様々な情報を記憶している。有価媒体処理部２７は、精算部の一例である。有価媒体処理部２７は、硬貨投入口６や紙幣投入口７（図１参照）に投入された現金を券売機２の内部に取り込む構成や、取り込んだ現金の金種および真贋を識別する構成や、釣銭等の返却用の現金を紙幣出金口１１や返却口１２（図１参照）に排出する構成等を含む。
【００２３】
制御部２５は、客によって選択されたメニューの代金を、投入された現金から差し引くことによって、当該メニューについて精算する。代金に関し、客が、メニューを選択する前に入金してもよいし、メニューを選択した後に入金してもよい。なお、有価媒体処理部２７は、非接触ＩＣカードユニット（図示せず）を含んでもよい。制御部２５は、非接触ＩＣカードユニットによって、客が有する電子マネー機能付きのＩＣカードと非接触通信して、当該ＩＣカードに関連付けられた電子マネーにより精算（電子決済）することができる。また、制御部２５は、非接触ＩＣカードユニットにかざされた客のクレジットカードによって電子決済できてもよい。
【００２４】
発行部２８は、報知部の一例であり、精算の完了に応じて、食券２０に、客が購入したメニューに関する必要な情報（図２参照）を印字して、この食券２０を取出口１０（図１参照）に発行する構成等を含む。食券２０の発行の際、客による表示操作部４における領収書発行ボタン（図示せず）のタッチによって領収書が要求されると、発行部２８は、食券２０とは別に、領収書（図示せず）も発行する。なお、券売機２では、事前精算のときに限らず、後述する事後精算のときでも領収書が発行される。
【００２５】
通信部２９は、取得部の一例であり、券売機２が管理サーバー２２と通信するためのインターフェースである。通信部２９には、有線または無線の通信回線で構成されたＬＡＮ３０が接続されている。券売機２は、ＬＡＮ３０を介して、管理サーバー２２に対して通信可能に接続されている。
撮影装置２１として、監視カメラ等の公知のカメラを使用できる。撮影装置２１は、券売機２の正面領域を撮影できる位置に配置されている。撮影装置２１は、券売機２の一部として券売機２の制御部２５に対して電気的に接続されてもよいし（図１も参照）、券売機２とは別の部品として飲食店の天井等の券売機２から離れた位置に取り付けられてもよい。撮影装置２１は、券売機２に正面からアクセスする者を撮影し、その撮影データを制御部２５に送信する。制御部２５は、送信された撮影データから、券売機２にアクセスする者の特徴情報を抽出する。特徴情報は、券売機２にアクセスする者の人相や体形や性別や推定年齢や服装（アクセサリーも含む）や髪型等である。
【００２６】
管理サーバー２２は、いわゆるパソコンであって、飲食店における店員用の事務室に配置されている。管理サーバー２２は、マイクロコンピュータ等によって構成された制御部３１と、様々な情報を記憶した記憶部３２と、ＬＡＮ３０に接続された通信部３３とを含む。
注文端末２３は、例えばディナー営業中において飲食店の飲食エリアにいる客からの注文を受け付ける装置である。注文端末２３には、店員によって携帯されるハンディー注文端末２３Ａと、各テーブル１５に据え置かれるテーブル注文端末２３Ｂとが存在する（図１参照）。それぞれの注文端末２３は、マイクロコンピュータ等によって構成された制御部３４と、通信部３５と、表示操作部３６と、発行部３７と、読取部３８とを含む。
【００２７】
通信部３５は、有線または無線（ハンディー注文端末２３Ａの場合は無線）の通信回線で構成されたＬＡＮ３９を介して、管理サーバー２２の通信部３３に対して通信可能に接続されている。なお、ＬＡＮ３９は、前述したＬＡＮ３０の一部であってもよい。表示操作部３６の一例は、液晶のタッチパネルである。ハンディー注文端末２３Ａのように、表示操作部３６は、様々な情報が表示される表示部３６Ａと、客からの注文を入力するために店員によって操作される操作部３６Ｂとに分かれていてもよい（図１参照）。
【００２８】
ハンディー注文端末２３Ａの場合、店員が、客の注文を口頭にて受け付け、表示操作部３６を操作することによって注文を入力して確定する。テーブル注文端末２３Ｂの場合、客自身が表示操作部３６を操作することによって注文を入力して確定する。注文が確定すると、発行部３７は、これから説明する精算伝票４０に必要な情報を印字して、この精算伝票４０を注文端末２３の発行口４１（図１参照）に発行する。注文した客は、発行された精算伝票４０を受け取る。読取部３８の一例は、前述したコードリーダーである。読取部３８は、図１の各注文端末２３には図示されていない。
【００２９】
精算伝票４０は、図４に示すように、例えば四角形状の紙製のチケットである。精算伝票４０の表面には、一例として、精算伝票４０の発行日時ＤＴと、店名Ｓと、定型文Ｂ１およびＢ２と、注文情報Ｒと、注文番号Ｖと、座席番号Ｚと、精算情報コードＫとが印字されている。注文情報Ｒは、客が注文した各メニューのメニュー名、メニュー毎の注文数（図４のビールの場合は２つ）およびメニュー毎の注文金額（代金）の情報と、注文金額の総額（合計金額）の情報とを含む。注文番号Ｖは、精算伝票４０毎に割り当てられる識別情報である。注文番号Ｖは、前述した取引番号Ｑとは別に設定される番号であってもよいし、取引番号Ｑを兼ねてもよい。
【００３０】
座席番号Ｚは、注文した客が位置するテーブル１５または椅子１６に割り当てられた識別情報である。ハンディー注文端末２３Ａによる注文の場合、座席番号Ｚは、店員による表示操作部３６の操作によって手入力される。テーブル注文端末２３Ｂによる注文の場合、座席番号Ｚは、テーブル注文端末２３Ｂ自体の識別情報でもある。精算情報コードＫは、精算伝票４０に印字された発行日時ＤＴ、注文情報Ｒおよび座席番号Ｚ等の事後精算情報と、注文番号Ｖとを記録したコードである。精算情報コードＫの一例は、図４に示すように大小多数のドットの組み合わせた二次元コードであってもよいし、バーコードのような一次元コードであってもよい。
【００３１】
飲食店では、客が会員登録できてもよい。会員登録した客（以下では会員という。）には、図５に示す会員カード４２が飲食店から発行される。会員カード４２の表面には、一例として、会員カード４２の発行日と、会員毎に割り当てられる会員番号と、会員の名前と、これらの会員情報を記録した会員情報コードＬと、会員カード４２のタイトル（図５では「〇×居酒屋  会員カード」）とが記載されている。会員情報コードＬは、図５に示す二次元コードであってもよいし、一次元コードであってもよい。
【００３２】
以下では、券売機２における精算方法について詳しく説明する。この精算方法による処理手順を記憶した精算プログラムは、ＣＤ４３やＵＳＢメモリ４４等の外部記憶媒体（図３参照）を介して券売機２の記憶部２６にインストールされる。領収書発行プログラムは、以下に説明する様々な手順を券売機２の制御部２５（図３参照）に実行させる。
ランチ営業中において券売機２において取引が成立する度に、その取引に係る事前精算情報が券売機２から管理サーバー２２に送信される。管理サーバー２２において、制御部３１は、この取引について取引番号Ｑ（図２参照）を新たに割り当てて券売機２に通知するとともに、受信した事前精算情報を、当該取引番号Ｑに関連付けて記憶部３２の事前精算テーブル４５に記録する。図６に示す事前精算テーブル４５には、事前精算情報が、取引番号の順に並んで記録されている。なお、事前精算テーブル４５における購入金額は、食券２０における値段Ｐ（図２参照）に相当する。また、この実施形態では、１つの取引番号に対してメニュー名が１つだけであるが、メニュー名が複数あってもよく、その場合の購入金額は、複数のメニューの値段Ｐの合計金額である。
【００３３】
ディナー営業中において注文端末２３での注文が確定する度に、その注文に係る事後精算情報が注文端末２３から管理サーバー２２に送信される。管理サーバー２２において、制御部３１は、この注文について注文番号Ｖ（図４参照）を新たに割り当てて注文端末２３に通知するとともに、受信した事後精算情報を、当該注文番号Ｖに関連付けて記憶部３２の事後精算テーブル４６に記録する。図７に示す事後精算テーブル４６には、事後精算情報が、注文番号の順に並んで記録されている。なお、事後精算テーブル４６では、それぞれの事後精算情報に対して、対応する注文番号とともに、精算フラグが関連付けて記録されている。精算フラグは、対応する注文が未精算か精算済かを示している。
【００３４】
注文端末２３によって注文する客が会員であって、注文時に自身の会員カード４２の会員情報コードＬ（図５参照）を注文端末２３の読取部３８（図３参照）にかざすことがある。この場合、注文端末２３の制御部３４が、会員情報コードＬの内容を読取部３８によって読み取って、会員情報コードＬに含まれる会員番号を、事後精算情報とともに管理サーバー２２に送信する。管理サーバー２２の制御部３１は、受信した会員番号（図７ではＫ１２５）を、対応する事後精算情報に関連付けて、事後精算テーブル４６に記録する。
【００３５】
なお、管理サーバー２２の記憶部３２では、事前精算情報および事後精算情報が、事前精算テーブル４５および事後精算テーブル４６という別々の精算テーブルに分けて管理されているが、１つの精算テーブルにまとめて管理されてもよい。まとめて管理される事前精算情報および事後精算情報は、食券２０や精算伝票４０の発行日時の順に並んで記録される。
【００３６】
管理サーバー２２の記憶部３２には、図８に示す会員テーブル４７も記憶されている。会員テーブル４７には、会員毎の会員情報が、会員番号の順に登録されている。会員テーブル４７に登録された会員情報は、会員の会員番号および名前ならびに会員カード４２の発行日だけでなく、会員の住所や電話番号等の個人情報も含む。
ランチ営業中の待機モードにおける券売機２では、制御部２５が、図９に示す販売画面５０を表示操作部４に表示している。図９の状態を基準として、例えば販売画面５０の上端部には、「お好みのボタンを押してメニューを選択してください。」という案内文５１と、「クーポンをお持ちの方は、クーポンに記載のコードを読取部にかざしてください。」という案内文５２とが表示されている。販売画面５０においてこれらの案内文よりも下側の領域には、メニューについての複数のグループの中からいずれかのグループを選択するためのグループ選択キー４９が表示されている。グループ選択キー４９は、タッチキーである（表示操作部４に表示される他のキーも同様）。グループ選択キー４９は、この実施形態では、ラーメンのグループ、定食・どんぶりのグループ、うどん・そばのグループ、デザート・ドリンクのグループに応じて４つ存在する。
【００３７】
客がいずれかのグループ選択キー４９にタッチすると、制御部２５は、これらのグループ選択キー４９の代わりに、タッチされたグループ選択キー４９のグループに属するメニューに対応するメニュー選択キー（図示せず）を表示する。メニュー選択キーは、当該グループに属するメニューの種類と対応して複数また単数表示される。客は、表示されたメニュー選択キーの中から、選択したいメニューに対応するメニュー選択キーにタッチする。制御部２５は、タッチされたメニュー選択キーに対応するメニューの情報を、販売画面５０において例えば右端部に設けられた選択メニュー確認欄５３に表示する。このように、制御部２５は、客によるメニューの選択に係る情報を表示操作部４の販売画面５０において受け付ける。
【００３８】
販売画面５０において例えば選択メニュー確認欄５３よりも上側には、金額確認欄５４が表示されている。例えば金額確認欄５４における左領域には、「入金額」という見出しと、「合計金額」という見出しと、「おつり」という見出しとが上側からこの順番にて表示されている。金額確認欄５４において「入金額」の見出しの右隣には、客によって硬貨投入口６や紙幣投入口７（図１参照）に投入された現金の総額が表示される。「合計金額」の見出しの右隣には、客によるメニュー選択キーのタッチによって選択されたメニューの値段の総額が表示される。「おつり」の見出しの右隣には、入金額から合計金額を差し引いた金額が表示される。
【００３９】
販売画面５０において例えば選択メニュー確認欄５３よりも下側には、「すべて取消」という文字を含んだリセットキー５５と、「購入」という文字を含んだ購入キー５６とが表示されている。客は、リセットキー５５にタッチしたり、前述した取消ボタン８（図１参照）を押したりすることにより、選択した全てのメニューについての選択を取り消すことができる。メニューの取り消しに応じて、入金金額が客に返却される。客が購入キー５６にタッチすれば、選択した全てのメニューについて事前精算が完了し、今回の取引が成立したことになる。なお、前述した電子決済の場合には、客が自身のＩＣカード等を有価媒体処理部２７の非接触ＩＣカードユニットに読み取らせれば、購入キー５６にタッチしなくても、事前精算が完了する。
【００４０】
事前精算に応じて、券売機２の制御部２５は、事前精算後の料理の提供に必要な第１データ（具体的には、事前精算情報および取引番号Ｑ）を出力し、当該第１データを印字した食券２０を取出口１０に発行する。食券２０は、前述したように、料理と引き換えられる。つまり、事前精算モードの場合、客は、券売機２から出力された第１データに基く食券２０によって、事前精算済のメニューの料理を提供してもらうことができる。なお、第１データの出力を食券２０の発行とみなしてもよい。制御部２５は、飲食店の厨房に設置されたキッチンディスプレイに第１データを送信し、第１データにおけるメニュー名および注文数がキッチンディスプレイに表示されてもよい。厨房を担当する店員は、キッチンディスプレイの表示を見て、注文のメニューの調理に速やかに取りかかれる。
【００４１】
券売機２の記憶部２６には、前述した事前精算テーブル４５（図６参照）と同様に事前精算情報を記録した事前精算テーブル５７が設けられており、制御部２５は、事前精算が完了する度に、事前精算テーブル５７を更新する（図３参照）。このように事前精算するときの制御部２５の精算モードを、事前精算モードという。
なお、クーポンを持参した客が、当該クーポンに表示されたコード（一次元コードまたは二次元コード）を読取部１３にかざす場合がある。この場合、券売機２の制御部２５は、読取部１３によって読み取った当該コードの内容に応じて、特定のメニューまたは全てのメニューが安くなるように合計金額を値引いたり、サービスメニューと交換するための引換券を発行したりする。コードが表示されたクーポンは、紙片であってもよいし、客のスマートフォン等の携帯端末であってもよい。また、携帯端末によって予めメニューを選択できて、選択済みのメニューを記録したコードが携帯端末に表示されてもよく、この場合、券売機２の制御部２５は、当該コードを読取部１３によって読み取ることにより、メニューの選択結果（選択に係るメニューの情報）を受け付けて、当該メニューの情報を選択メニュー確認欄５３に表示する。
【００４２】
販売画面５０において例えば下端部には、販売画面５０における表示言語を変更するための言語変更キー５８が設けられてもよい。また、会員は、自身の会員カード４２の会員情報コードＬを読取部１３にかざしてもよく、その場合には、制御部２５は、読取部１３によって会員情報コードＬから会員情報を読み取る。読み取られた会員情報は、前述した第１データに含まれてもよい。
【００４３】
ディナー営業中の待機モードにおける券売機２では、制御部２５が、図１０に示す精算案内画面６０を表示操作部４に表示している。販売画面５０から精算案内画面６０への表示の切り換えは、ディナー営業の開始（例えば、ディナー営業の開始時刻）に応じて制御部２５によって自発的に行われてもよい。または、制御部２５が、ディナー営業の開始に応じて管理サーバー２２からの指示を受けたことに応じて、販売画面５０から精算案内画面６０へ表示を切り換えてもよい。または、ディナー営業の開始時に店員が表示操作部４等を操作すると、制御部２５が、その操作に応じて販売画面５０から精算案内画面６０へ表示を切り換えてもよい。
【００４４】
図１０の状態を基準として、例えば精算案内画面６０の中央領域には、「精算伝票または会員カードに記載のコードを読取部にかざしてください。または  座席番号を入力した後に精算キーにタッチしてください。」という案内文６１が表示されている。また、精算案内画面６０において例えば案内文６１の下側には、座席番号入力欄６２と、精算キー６３とが表示されている。
【００４５】
ディナー営業の場合、客は、飲食店に入ると券売機２の前を素通りして飲食エリアにて着席し、前述したように注文端末２３によってメニューを注文して精算伝票４０を受け取る。飲食を終えた客は、精算伝票４０を持って券売機２のもとへ行き、精算伝票４０の精算情報コードＫ（図４参照）を券売機２の読取部１３にかざす。または、客は、精算伝票４０に印字された座席番号Ｚ（図４参照）と同じ座席番号を、例えば表示操作部４に表示されたテンキー（図示せず）によって座席番号入力欄６２に入力した後に、精算キー６３にタッチする。
【００４６】
券売機２の制御部２５は、精算情報コードＫが読取部１３にかざれたことや、座席番号の入力後に精算キー６３がタッチされたことに応じて、図１１に示す精算開始画面６６を表示操作部４に切替表示する。精算開始画面６６には、一例として、「お支払金額は  円です。」という案内文６７と、「入金して、確定キーにタッチしてください。」という案内文６８と、支払金額表示欄６９と、内訳表示欄７０と、金額確認欄７１と、確定キー７２とが表示されている。支払金額表示欄６９は、案内文６７の途中に配置されている。
【００４７】
先ほど精算情報コードＫが読取部１３にかざれた場合には、制御部２５は、精算情報コードＫに記録された注文情報Ｒのうち、前述した合計金額を支払金額表示欄６９に表示し、残りの情報（メニュー毎のメニュー名、注文数および注文金額）を内訳表示欄７０に表示する。先ほど座席番号の入力後に精算キー６３がタッチされた場合には、制御部２５は、この座席番号に対応する事後精算情報を管理サーバー２２に問い合わせる。管理サーバー２２の制御部３１は、事後精算テーブル４６（図７参照）において、この座席番号に対応し、かつ、精算フラグが「未」となっている事後精算情報を抽出し、この事後精算情報および注文番号を券売機２に送信する。制御部２５は、受信した事後精算情報に含まれる注文情報を支払金額表示欄６９および内訳表示欄７０に表示する。
【００４８】
なお、精算情報コードＫが読取部１３にかざれた場合には、精算情報コードＫに記録された注文番号Ｖや座席番号に対応する事後精算情報を管理サーバー２２に問い合わせて、該当する事後精算情報を受信し、この事後精算情報に含まれる注文情報を支払金額表示欄６９および内訳表示欄７０に表示してもよい。また、券売機２の記憶部２６には、メニュー毎の値段の情報が予め記憶されていて、制御部２５は、注文情報Ｒにおけるメニュー名および注文数とメニュー毎の値段とに基いて注文金額の総額を算出して、支払金額表示欄６９に表示してもよい。
【００４９】
例えば金額確認欄７１における左領域には、「入金額」という見出しと、「おつり」という見出しとが上側からこの順番にて表示されている。金額確認欄７１において「入金額」の見出しの右隣には、客によって硬貨投入口６や紙幣投入口７（図１参照）に投入された現金の総額が表示される。「おつり」の見出しの右隣には、入金額から注文金額の総額を差し引いた金額が表示される。必要額以上に入金した客が確定キー７２にタッチすると、制御部２５は、今回の事後精算が完了したものとし、必要に応じて釣銭を返却する。
【００５０】
制御部２５は、今回の事後精算の完了を証明するのに必要な第２データ（具体的には、事後精算情報）を出力し、発行部２８によって当該第２データを印字した領収書を取出口１０に発行してもよい。制御部２５は、事後精算が完了した旨の事後精算完了画面（図示せず）を表示操作部４に表示してもよい。このように事後精算するときの制御部２５の精算モードを、事後精算モードという。事後精算モードの場合、客は、券売機２から出力された第２データに基いた領収書によって、事後精算完了を証明することができる。なお、紙の領収書の代わりに、電子領収書を用いることができる。その場合、券売機２は、電子領収書を電子メール等によって客の携帯端末等に送信してもよい。
【００５１】
制御部２５は、今回の事後精算処理の完了を管理サーバー２２に通知し、管理サーバー２２の制御部３１は、事後精算テーブル４６（図７参照）において該当する事後精算情報についての精算フラグを「未」から「済」に更新する。券売機２の記憶部２６には、事後精算テーブル４６と同様の事後精算テーブル７３が記憶されている。図１２に示す事後精算テーブル７３には、事後精算が完了した取引についての注文番号、事後精算の完了日時（事後精算日時）および事後精算情報が、注文番号または事後精算日時の順に並んで記録されている。券売機２の制御部２５は、事後精算が完了する度に、完了した事後精算に関する情報（事後精算情報や事後精算日時）が追加されるように事後精算テーブル７３を更新する。なお、事後精算の場合における領収書には、事後精算日時が印字されてもよい。
【００５２】
以上のように、券売機２は、事前に食券２０を発行する事前精算機能に加えて、事後精算機能も有するいわゆるハイブリッド券売機である。そのため、前述したように、券売機２の制御部２５は、販売画面５０において選択に係る情報を受け付けたメニューの代金を事前精算する事前精算モードと、提供済みのメニューの代金を事後精算する事後精算モードとのいずれかに代金の精算モードを切換可能である。ランチ営業とディナー営業とで精算モードを切り換える場合には、制御部２５は、精算モードの切換指示を含む指示情報を取得し、この指示情報に基いて精算モードを切り換える。
【００５３】
このような券売機２では、客がこれから提供してもらいたいメニューの代金を事前精算するだけでなく、客に提供済みのメニューの代金を事後精算することも可能である。これにより、店員は、事前精算だけでなく事後精算にも対応せずに済むので、精算に起因した不具合（現金に受け渡しに伴う負担や衛生面や安全面での不具合）を抑制できる。この券売機２により、ランチ営業では事前精算によって回転率を向上できるだけでなく、客単価の高いディナー営業を実現できる。
【００５４】
精算モードを事後精算モードに切り換えるための指示情報は、ディナー営業を開始する際に、管理サーバー２２から券売機２の通信部２９を介して制御部２５に送信されてもよい。または、この指示情報は、店員による表示操作部４等の操作によって制御部２５に入力されてもよい。または、指示情報は、精算モードを事後精算モードに切り換えるため切換条件も含み、券売機２の記憶部２６に予め記憶されていてもよい。ディナー営業の開始時刻に近づく等によって切換条件が成立したことに応じて、制御部２５は、記憶部２６から指示情報を取得したことになって、精算モードを事後精算モードに切り換える。この場合の券売機２では、外部から指示情報を受信しなくても、自身に記憶された指示情報に基いて精算モードを切り換えることができる。
【００５５】
一方、精算モードを事前精算モードに切り換えるための指示情報は、例えばランチ営業を開始する際に、管理サーバー２２から券売機２の制御部２５に送信されたり、店員による表示操作部４等の操作によって制御部２５に入力されたりしてもよい。または、前述した切換条件の成立（ここではランチ営業の開始時刻に近づくこと等）に応じて、制御部２５が指示情報を自発的に取得してもよい。
【００５６】
券売機２の記憶部２６では、事前精算モードでの事前精算に関する事前精算情報が事前精算テーブル５７において記憶され、事後精算モードでの事後精算に関する事後精算情報が事後精算テーブル７３において記憶されるので、事前精算情報と事後精算情報とは分けて記憶されている（図３参照）。この場合、別々に記憶された事前精算情報および事後精算情報に基いて、例えば、事前精算モードが設定される昼間と、事後精算モードが設定される夜間とで売行き等を分けて管理できる。
【００５７】
この発明は、以上の実施形態の内容に限定されるものではなく、請求項に記載の範囲内において種々の変更が可能である。
例えば、事後精算は、会員だけに適用されてもよい。その場合の精算案内画面６０には、前述した案内文６１（図１０参照）の代わりに、図１３に示すように、「会員の方のみ、事後精算ができます。会員カードに記載のコードを読取部にかざしてください。または  座席番号を入力した後に精算キーにタッチしてください。」という案内文７５が表示される。会員は、前述したように座席番号を入力後に精算キー６３にタッチする以外に、自身の会員カード４２の会員情報コードＬを券売機２の読取部１３にかざす。
【００５８】
会員情報コードＬが読取部１３にかざれた場合には、券売機２の制御部２５は、会員情報コードＬに含まれる会員番号に対応する事後精算情報を管理サーバー２２に問い合わせる。管理サーバー２２の制御部３１は、事後精算テーブル４６（図７参照）において、この会員番号に対応し、かつ、精算フラグが「未」となっている事後精算情報を抽出し、この事後精算情報に含まれる注文情報を券売機２に送信する。制御部２５は、受信した注文情報を精算開始画面６６の支払金額表示欄６９および内訳表示欄７０（図１１参照）に表示し、前述した手順によって事後精算を実行する。このように会員カード４２を用いる事後精算の場合には、注文時において、会員情報コードＬを注文端末２３の読取部３８に読み取らせておけばよく、精算伝票４０の発行は不要である。
【００５９】
このように、会員の会員番号は、客を特定するための特定情報の一例である。前述した指示情報が当該特定情報を含んでもよい。券売機２の制御部２５は、会員情報コードＬが読取部１３にかざれることによって特定情報を取得した場合に、精算モードを事後精算モードに切り換えてもよい。つまり、券売機２では、特定情報を取得できた客つまり身元の明らかな客の場合に事後精算ができる一方で、身元が不明な客については事後精算できないように設定できる。これにより、身元が不明な客がメニューの提供後に代金を払わずに立ち去るような不正（いわゆる食い逃げ）を防止できる。
【００６０】
事後精算を会員に限定することにより、飲食店には、常連客を増やせるというメリットがある。また、ディナー営業時における券売機２は、会員用の入店受付機（いわゆるチェックイン機）としての機能を兼ねてもよく、この場合、会員が会員カード４２の会員情報コードＬを券売機２の読取部１３に読み取らせると、券売機２では、この会員が座る席の座席番号を記した座席券を発行してもよい。
【００６１】
前述した実施形態では、ランチ営業中に事前精算ができてディナー営業中に事後精算ができる運用について説明したが、同じ時間帯において事前精算および事後精算の両方が可能であってもよい。例えば、ランチ営業中に事前精算して着席したものの、注文端末２３によって追加注文した場合には、追加注文したメニューについて券売機２にて事後精算できてもよい。このような運用ができるように、前述した販売画面５０には、図１４に示すように、「事後精算の方は、精算キーにタッチしてください。」という案内文７６と、精算キー８７とが追加表示されている。
【００６２】
事後精算したい客が精算キー８７にタッチすると、券売機２の制御部２５が、図１５に示すように「精算伝票または会員カードに記載のコードを読取部にかざしてください。」という案内文７７が表示された精算案内画面６０を表示操作部４に表示する。なお、精算案内画面６０の表示内容は、前述した精算案内画面６０の表示内容（図１０および図１３参照）と同じであってもよい。この場合には、客による精算キー８７のタッチに応じて、制御部２５は、前述した指示情報を取得し、精算モードを事後精算モードに切り換える。この場合、店員は、追加注文のメニューの精算に立ち会わずに済む。また、このように事後精算できる場合には、券売機２において先に食券２０を購入してから空席を探さなくても、先に席を確保して飲食後に事後精算することができる。
【００６３】
販売画面５０の変形例として、図１６に示すように、「事後精算の方は、精算伝票または会員カードに記載のコードを読取部にかざしてください。または、座席番号を入力した後に精算キーにタッチしてください。」という案内文７８と、精算案内画面６０の座席番号入力欄６２および精算キー６３（図１０参照）とが、最初から販売画面５０に表示されてもよい。この場合には、その後の精算案内画面６０の表示が省略される。そのため、客が精算伝票４０の精算情報コードＫや会員カード４２の会員情報コードＬを券売機２の読取部１３にかざしたり、座席番号を入力して精算キー６３にタッチしたりすると、券売機２の制御部２５は、販売画面５０から精算開始画面６６（図１１参照）に表示を切り換える。なお、座席番号入力欄６２では、座席番号の代わりに、会員番号を入力できてもよい。
【００６４】
このように、精算情報コードＫおよび会員情報コードＬは、前述した指示情報であり、制御部２５は、精算情報コードＫや会員情報コードＬの読み取りに応じて指示情報を取得して、精算モードを事後精算モードに切り換える。この場合の券売機２では、いずれかのコードを読取部１３に認識させるといった簡単な操作によって、他の余計な操作をせずに精算モードを事後精算モードに切り換えることができる。また、精算情報コードＫは、事後精算する代金の情報を含んでいるので、券売機２では、指示情報に含まれる事後精算の代金の情報に基いて事後精算を実行することができる。券売機２は、事後精算後に、元の事前精算モードに切り換わる。
【００６５】
例えばディナー営業中の飲食店が満席の場合、券売機２の表示操作部４には、図１７に示す満席画面８０が表示されてもよい。管理サーバー２２では、事後精算テーブル４６（図７参照）における座席番号と精算フラグとの関係等によって店内の満席状況が管理されている。券売機２の正面に客が来たことが検知部５（図１参照）によって検知されると、券売機２の制御部２５は、管理サーバー２２に満席状況を問い合わせる。満席であると管理サーバー２２から回答されると、制御部２５は、前述した販売画面５０の代わりに、満席画面８０を表示させる。なお、空席がでると、満席画面８０から販売画面５０に表示が戻る。
【００６６】
満席画面８０には、「ただいま満席です。整理券キーにタッチして整理券をお受け取りいただき、係の者が案内するまでしばらくお待ちください。」という案内文８１と、整理券キー８２とが表示されている。空席待ちしようとする客が整理券キー８２にタッチすると、券売機２の制御部２５は、図１８に示す整理券８５を、発行部２８によって取出口１０に発行する。整理券８５は、例えば四角形状の紙製のチケットである。整理券８５の表面には、一例として、整理券８５の発行日時ＤＴと、店名Ｓと、タイトルＢ３と、定型文Ｂ４と、受付番号Ｗと、人数Ｙと、待ち時間Ｍと、整理券コードＸとが印字されている。
【００６７】
受付番号Ｗは、整理券８５の識別情報であり、客による整理券キー８２のタッチに応じて、管理サーバー２２から割り当てられる。人数Ｙは、空席待ちする各グループを構成する客の人数である。待ち時間Ｍは、整理券８５から着席までに要する予想時間であり、管理サーバー２２によって予測される。整理券コードＸは、発行日時ＤＴ、受付番号Ｗ、人数Ｙおよび待ち時間Ｍという順番待ち情報を記録した一次元コードまたは二次元コード（図１８では二次元コード）である。このように、制御部２５は、料理の提供を順番待ちする客による整理券キー８２のタッチという所定の入力に応じて、当該客向けの情報を整理券８５の印字内容によって報知する。この場合には、店員が客の順番待ちの受け付けに対応せずに済む。なお、当該客向けの情報は、表示操作部４に表示されることによって客に報知されてもよい。
【００６８】
管理サーバー２２では、発行済みの整理券８５の順番待ち情報を管理しており、順番がきた整理券８５については、券売機２に指示することによって、この整理券８４を有する客に対して、席が用意できた旨や席の場所等を表示操作部４によって報知する。もちろん、店員が、順番が回ってきた客を呼びに行って席まで案内してもよい。この場合、店員のハンディー注文端末２３Ａでは、客の案内を促す旨が報知される。
【００６９】
順番が回ってきた客は、空席まで案内されて着席すると、注文端末２３によって注文する。その際、この客が、順番待ちのときから持っている整理券８５の整理券コードＸを注文端末２３の読取部３８（図３参照）にかざす。すると、注文端末２３の制御部３４が、整理券コードＸの内容を読取部３８によって読み取って、整理券コードＸに含まれる受付番号を、事後精算情報とともに管理サーバー２２に送信する。この場合には、整理券８５が精算伝票４０を兼ねるので、精算伝票４０の発行は不要である。管理サーバー２２の制御部３１は、受信した受付番号を、対応する事後精算情報に関連付けて、事後精算テーブル４６に記録する。なお、整理券８５の発行の段階において、順番待ちの客の操作によって券売機２にて予めメニューを注文できてもよい。この場合には、注文による注文情報（図７参照）が、管理サーバー２２に送信されて、事後精算テーブル４６において受付番号とともに記憶され、整理券コードＸに記録される。整理券コードＸが読取部３８によって読み取られると、注文端末２３において注文し直さなくても、注文が完了する。
【００７０】
整理券８５を持つ客が、食後に、この整理券８５の整理券コードＸを券売機２の読取部１３にかざすと、券売機２の制御部２５は、整理券コードＸに含まれる受付番号に対応する事後精算情報を管理サーバー２２に問い合わせる。管理サーバー２２の制御部３１は、事後精算テーブル４６（図７参照）において、この受付番号に対応し、かつ、精算フラグが「未」となっている事後精算情報を抽出し、この事後精算情報に含まれる注文情報を券売機２に送信する。制御部２５は、受信した注文情報を精算開始画面６６の支払金額表示欄６９および内訳表示欄７０（図１１参照）に表示し、前述した手順によって事後精算を実行する。このように、券売機２が、本来の券売機としての機能だけでなく、自動精算機としての機能や、順番待ちを受け付ける受付機としての機能を兼ねるので、飲食店内における省スペース化を図ることができる。なお、整理券８５を発行する受付機が、券売機２とは別に存在してもよい。
【００７１】
客が整理券キー８２にタッチすると、撮影装置２１が、この客を撮影してもよい。券売機２の制御部２５は、撮影装置２１の撮影データから、この客の特徴情報を取得する。特徴情報は、客を特定するための特定情報の一例である。特徴情報は、客に発行された整理券８５の受付番号Ｗと関連付けられて、事後精算情報とともに管理サーバー２２の事後精算テーブル４６において管理される。そのため、会員の場合と同様に、客の身元が特定されるので、食い逃げ等の不正を防止できる。なお、会員の場合には、整理券キー８２にタッチしなくても、自身の会員カード４２の会員情報コードＬを券売機２の読取部１３にかざすと、整理券８５が発行されてもよい。
【００７２】
券売機２において精算モードを切り換える機能は、券売機２でなく、販売システム１における管理サーバー２２に設けられてもよい。この場合、券売機２の精算モードは、管理サーバー２２の遠隔操作によって切り換えられる。
券売機２は、複数存在してもよく、その場合、ディナー営業中において一部の券売機２だけが事後精算モードに切り換わって自動精算機（いわゆるチェックアウト機）として機能し、残りの券売機２は事前精算モードのまま（通常の券売機のまま）であってもよい。
【００７３】
以上に説明した複数の実施形態は、必要に応じて組み合わせて適用することができる。
【符号の説明】
【００７４】
１    販売システム
２    券売機
４    表示操作部
１３  読取部
２２  管理サーバー
２５  制御部
２６  記憶部
２７  有価媒体処理部
２８  発行部
２９  通信部
【図１】
2019152897.tif 000003
【図２】
2019152897.tif 000004
【図３】
2019152897.tif 000005
【図４】
2019152897.tif 000006
【図５】
2019152897.tif 000007
【図６】
2019152897.tif 000008
【図７】
2019152897.tif 000009
【図８】
2019152897.tif 000010
【図９】
2019152897.tif 000011
【図１０】
2019152897.tif 000012
【図１１】
2019152897.tif 000013
【図１２】
2019152897.tif 000014
【図１３】
2019152897.tif 000015
【図１４】
2019152897.tif 000016
【図１５】
2019152897.tif 000017
【図１６】
2019152897.tif 000018
【図１７】
2019152897.tif 000019
【図１８】
2019152897.tif 000020